(57)【要約】      （修正有）【課題】使用環境の制約を受けずに使用できる模擬銃を提供する。【解決手段】模擬銃１は、弾薬の充填を受ける模擬カートリッジ２をグリップに装着される。模擬カートリッジ２は、非接触型のメモリカードから構成されており、弾薬補充装置に書き込まれた弾薬数を表すデータを記憶する。模擬銃１の制御部１７は、模擬銃１に充填される弾薬数を表すデータを、送受信部１４を介して模擬カートリッジ２から受信すると記憶部１８に記憶し、トリガーの操作を検知部１５が検知する度に記憶した弾薬数を１減算する。また、トリガーの操作を検知部１５が検知すると、レーザ送信部１６にレーザを送信させる。【選択図】図２
2009250568.tif 000002
【特許請求の範囲】
【請求項１】
記録媒体に記録された弾薬数を読み取り、弾薬の充填を受けることを特徴とする模擬銃。
【発明の詳細な説明】
【技術分野】
【０００１】
本発明は、電気的又は磁気的な手段により弾薬供給を受ける模擬銃に関する。
【背景技術】
【０００２】
従来、この種の模擬銃では、微弱無線を用いた通信で弾薬充填が行われていた。また、下記の特許文献１に示す弾薬管理装置では、供給弾数や発射弾数等の銃に関する情報の読み書きが、アンテナを介した通信で行われている。
【０００３】
【特許文献１】特開２００７−２９８２６７号公報
【発明の開示】
【発明が解決しようとする課題】
【０００４】
上記従来の技術を用いて模擬銃への弾薬充填を行う場合には、無線での通信範囲内でしか銃との間での情報の送受信を行えず、模擬銃の使用環境を制約される虞が大きかった。
【０００５】
本発明は斯かる課題に鑑みてなされたもので、上記課題を解決できる模擬銃を提供することを目的とする。
【課題を解決するための手段】
【０００６】
このような目的を達成するために、本発明の模擬銃は、記録媒体に記録された弾薬数を読み取り、弾薬の充填を受けることを特徴とする。
【発明の効果】
【０００７】
本発明によれば、記録媒体から模擬銃に弾薬充填することで、使用環境の制約を受けずに模擬銃を使用できる。
【発明を実施するための最良の形態】
【０００８】
以下、図面を参照して、本発明の最良の形態について説明する。
図１は、本実施形態の模擬銃１及び模擬カートリッジ２の外観構成の概略を模式的に示す斜視図である。図２は、模擬銃１の回路構成の概略を示すブロック図である。図３は、模擬カートリッジ２に弾薬を補充する弾薬補充装置３の構成の概略を示すブロック図である。
【０００９】
図１に示すように、模擬銃１は、銃を模した外観形状を有しており、トリガー１１が操作されると、内蔵されたレーザ送信部１６（図２参照）から、銃口１２を通してレーザを送信する。模擬銃１のグリップ１３には、弾薬の充填を受ける模擬カートリッジ２が装着される。模擬カートリッジ２は、非接触型のメモリカードから構成されており、後述する弾薬補充装置３に書き込まれた弾薬数を表すデータを記憶する。本実施形態では、模擬カートリッジ２は、非接触ＩＣカードから構成されており、ＩＣチップ２１に記憶された弾薬数を、アンテナ２２を介して模擬銃１に送信する。
【００１０】
図２に示すように、模擬銃１は、グリップ１３に装着された模擬カートリッジ２とデータを送受信する送受信部１４と、トリガー１１の操作を検知する検知部１５と、レーザを送信するレーザ送信部１６と、模擬銃１の各部の動作を制御する制御部１７と、制御部１７に処理されるデータを記憶する記憶部１８とを備えている。
【００１１】
制御部１７は、模擬銃１に充填される弾薬数を表すデータを、送受信部１４を介して模擬カートリッジ２から受信すると記憶部１８に記憶し、トリガー１１の操作を検知部１５が検知する度に記憶した弾薬数を１減算する。また、トリガー１１の操作を検知部１５が検知すると、レーザ送信部１６にレーザを送信させる。
【００１２】
図３に示すように、弾薬充填装置３は、パソコン（ＰＣ）等の制御装置３１に、メモリカードへの書込装置３２を接続して構成されており、制御装置３１により書込装置３２で模擬カートリッジ２に弾薬数が書き込まれる。
【００１３】
次に、模擬銃１が模擬カートリッジ２から弾薬の充填を受ける際の手順を説明する。図４は、模擬銃１が弾薬の充填を受ける際の処理の概略を示すフローチャートである。
【００１４】
模擬カートリッジ２がグリップ１３に装着されると（Ｓ１）、制御部１７は、送受信部１４を介して模擬カートリッジ２に記憶された弾薬数を読み込み（Ｓ２）、記憶部１８に記憶する。その後、制御部１７は、トリガー１１の操作を検知部１５が検知する度に、記憶部１８に記憶された弾薬数を１減算する等、弾薬数を管理する処理を行う（Ｓ３）。
【００１５】
以上説明したように、本実施形態によれば、メモリカードから構成されて持ち運びの容易な模擬カートリッジ２で模擬銃１への弾薬充填を行うことから、模擬銃１の使用環境の制約を受けずに弾薬充填できる。つまり、微弱無線を用いた通信で弾薬充填を行う場合には、無線の通信範囲内でしか弾薬充填できず、実物の銃のように自由な弾薬充填を行わせるには、射撃訓練場所に多数のアンテナを設置したり、射撃訓練場所を選ぶ必要があるが、模擬銃１によれば模擬カートリッジ２を様々な場所に持ち運び、自由な弾薬充填を行わせることができる。この結果、使用環境の制約を受けずに、模擬銃１を使用できる。
【００１６】
また、本実施形態によれば、非接触型のメモリカードから模擬カートリッジ２を構成することにより、模擬カートリッジ２と模擬銃１との接続部分に異物が付着する等して模擬カートリッジ２や模擬銃１が故障等するのを防止できる。
【００１７】
上記実施形態では、模擬銃１のグリップ１３に模擬カートリッジ２を装着して弾薬充填を行った場合について説明したが、模擬カートリッジ２の装着部は、模擬銃１の任意の場所に設けることができる。また、模擬カートリッジ２を送受信部１４にかざして、模擬カートリッジ２に記憶された弾薬数を読み込むようにしてもよい。
【００１８】
また、模擬カートリッジ２を構成するメモリカードは、非接触型のものには限定されない。また、模擬カートリッジ２を構成するメモリカードは、電気的及び磁気的な手段の何れかを用いて弾薬数を記憶できるものを、任意に選択することができる。また、模擬カートリッジ２とし用いるメモリカードと模擬銃１との間での非接触でのデータの送受信方法も任意であり、電気的，光学的，又は磁気的な方法でデータを送受信してもよい。
【００１９】
また、模擬銃１は、弾薬数を記憶部１８に記憶するのに伴い、模擬カートリッジ２に記憶された弾薬数のデータを消去してもよい。また、模擬カートリッジ２は、弾薬充填後もグリップ１３に装着され続けるようにしても、弾薬充填後には離脱させるようにしてもよい。
【００２０】
以上、本発明の実施形態について説明したが、本発明の実施態様としては、以下のものを挙げることができる。
実施態様１の模擬銃は、記録媒体に記録された弾薬数を読み取り、弾薬の充填を受けることを特徴とする。
また、実施態様２の弾薬充填装置は、模擬銃に読み取られて充填される弾薬数を記録した記録媒体を備えることを特徴とする。
【図面の簡単な説明】
【００２１】
【図１】本発明の一実施形態の模擬銃及び模擬カートリッジの外観構成の概略を模式的に示す斜視図である。
【図２】図１に示す模擬銃の回路構成の概略を示すブロック図である。
【図３】図１に示す模擬カートリッジに弾薬を補充する弾薬補充装置の構成の概略を示すブロック図である。
【図４】模擬銃が弾薬の充填を受ける際の処理の概略を示すフローチャートである。
【符号の説明】
【００２２】
１      模擬銃
１１    トリガー
１３    グリップ
１４    送受信部
１５    検知部
１６    レーザ送信部
１７    制御部
１８    記憶部
２      模擬カートリッジ
【図１】
2009250568.tif 000003
【図２】
2009250568.tif 000004
【図３】
2009250568.tif 000005
【図４】
2009250568.tif 000006